【事件の表示】
　特願２００６−１５３６６５「画像形成システム及びクリアコート画像形成装置」拒絶査定不服審判事件〔平成１９年１２月１３日出願公開、特開２００７−３２２８１８〕について、次のとおり審決する。
【結　論】
　本件審判の請求は、成り立たない。
【理　由】
１．手続の経緯
　本願は、平成１８年６月１日の出願であって、平成２１年６月９日付で拒絶査定がなされ、これに対し、平成２１年９月１１日に拒絶査定に対する審判請求がなされるとともに、同日付で手続補正がされたものである。
　さらに、平成２１年１２月２５日付で審尋がなされたところ、審判請求人から平成２２年３月４日付で回答書が提出されたものである。
　
２．平成２１年９月１１日付の手続補正についての補正却下の決定
［補正却下の決定の結論］
　
　平成２１年９月１１日付の手続補正を却下する。
　
［理由］
２−１．補正内容
　本件補正は、平成２１年５月１３日付手続補正書により補正された本願明細書の特許請求の範囲の請求項１の
　
（１）「【請求項１】
　複数の有色トナー画像を形成する有色画像形成装置と、前記有色画像形成装置の後段に接続され、定着後に透明になるクリアトナーを用いてクリアコート画像を形成するクリアコート画像形成装置とから構成される画像形成システムにおいて、
　前記有色画像形成装置、前記クリアコート画像形成装置の双方が、用紙の両面に画像形成する両面画像形成機能を有し、
　前記有色画像形成装置は、用紙の両面に画像形成した後、用紙を前記クリアコート画像形成装置に受け渡し、
　前記クリアコート画像形成装置は、前記有色画像形成装置から受け渡された用紙の両面にクリアトナーを用いて画像形成した後、当該用紙を排出することを特徴とする画像形成システム。」
　
を
　
（２）「【請求項１】
　複数の有色トナー画像を形成する有色画像形成装置と、前記有色画像形成装置の後段に
着脱自在に
　前記有色画像形成装置、前記クリアコート画像形成装置の双方が、用紙の両面に画像形成する両面画像形成機能を有し、
　前記有色画像形成装置は、用紙の両面に画像形成した後、用紙を前記クリアコート画像形成装置に受け渡し、
　前記クリアコート画像形成装置は、前記有色画像形成装置から受け渡された用紙の両面にクリアトナーを用いて画像形成した後、当該用紙を排出することを特徴とする画像形成システム。」
　
と補正しようとする補正事項が含まれている（以下、「本件補正」という。）。
　
　本件補正は、請求項１記載の「クリアコート画像形成装置」が、「有色画像形成装置の後段に接続され」るものであることから、「有色画像形成装置の後段に着脱自在に接続され」るものであることに、限定補正するもの（上記下線は補正箇所）であるから、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　そこで、本件補正後の請求項１に記載された発明（以下、「本願補正発明」という。前記「２−１．（２）」参照。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
２−２．引用例
（１）引用例１
　原査定における拒絶の理由に引用文献１として引用された、米国特許出願公開第２００３／０００７８１４号明細書（以下、「引用例１」という。）には、図面とともに、以下の事項が記載されている（訳文の後の英文は、引用例１の原文。）
　なお、下線は当審にて付与。
　
（１ａ）「［００２３］　この発明の、
自由に使用可能なクリアトナーカートリッジのシステムは、メインの画像形成システムと分離して設計可能であり、
　この発明の１つの観点からは、この発明は、いかなる画像形成システムの出力に対しても容易に適用可能である。
　クリアトナー定着システムをカラー画像形成装置の定着システムから分離して設計することにより、そして、画像形成装置の出力と共同する分離された輸送システムを設計することにより、この発明の装置は、ベースとなる画像形成システムのごくわずかな修正で、画像形成システムの生成物をクリアトナー層で被覆することができる。
　基本的に、この発明は、
手で給紙されるように設計された独立型の装置にも適用でき、この発明の装置が付設される種々の画像形成システムにより給紙されるように設計された装置にも適用できる
　この発明は、画像形成システムに一体的に組み込むこともでき、又は、
画像形成システムに追加的に組み込むこともできる。
単独のクリアトナー塗布システムは、画像形成（複写及び印刷）システムの全ラインの中で交換可能に使用できるように設計することができる。
（［0023］ The disposable clear-toner cartridge system of the present invention can be designed separately from the main imaging system, and accordingly does not require extensive redesign of the imaging system to incorporate the invention. An imaging system incorporating the invention might involve an apparatus comprising one or more developer stations for forming color images on a charge retentive surface, a disposable clear-toner cartridge of the invention, and one or more fusion stations to fuse the color images and the clear toner. In one aspect of the invention, the invention may be easily applied to the output of any imaging system. By providing clear toner fixing systems separate from the fixing systems of the color imaging system and a separate transport system coordinated with the output of the imaging system, an apparatus of the invention can treat the product of the imaging system with the clear toner layer with minimal modification of the basic imaging system. Basically, the invention can be applied in a stand-alone apparatus designed to be hand fed or fed by a variety of imaging systems to which the invention is attached to provide a controllable and predictable gloss on the finished product from these systems. The invention may also be incorporated integrally into an imaging system, or as an add-on accessory to an imaging system. Because of the wide applicability of the present invention, a single clear toner application system may be designed to be interchangeably used in an entire line of imaging (copying and printing) systems, which may extend over thermal- and piezoelectric-inkjet systems, thermal systems, impact systems, and electrophotographic systems. ）
　
（１ｂ）「［００２５］　この発明のクリアトナーカートリッジは、制御システムを付設する。この制御システムは、測定された生成物の光沢度が現在の条件に合っているかどうかに基づいて、生成物にクリアトナーを被覆する。たとえば、紙媒体や、基質に関わりなく、所定の光沢で耐久性の光沢の生成物を生成することが望まれるのであれば、光沢増強剤入りのクリアトナーが塗布される。同様に、マット化剤は、所定の艶消し仕上げをする場合に、選択的に、被覆される。
　クリアトナーの多重層が、媒体の種類に応じて、たとえば、光沢増強剤やマット化剤の付加的な層にそれらの効果を増加させるように、被覆される。多重層は、複数のクリアトナーカートリッジを有するシステムを使用して被覆形成することができる。あるいは、カートリッジに使われる輸送システムが、下記に示されるように、往復動の、あるいは再循環のシステムをもつ、クリアトナーカートリッジを有するシステムを使用して、多重層が、被覆形成することができる。複数のクリアトナーカートリッジを有するシステムを使用した場合、制御システムは、生成物の性質に基づいて、選択的に、２種の異なるクリアトナー組成物を被覆する。例えば、ひとつのカートリッジからは、マット化剤入りのクリアトナーが、又は、第２のカートリッジからは、光沢増強剤入りのクリアトナーが、生成物の測定された光沢に基づいて、選択的に被覆される。この光沢性は、可視光の全領域あるいは部分領域の測定可能な反射光のいかなる性質にも基づくことができる。このような測定が、その表面の、知覚された、光沢、輝き、艶消し、くすみ、又は、色合いの、定量的測定である限り。」
（［0025］ The clear toner cartridge of the invention may also be associated with a control system that selectively applies a clear toner to the product, based upon whether measured gloss property of the product meets a preset condition. For example, if it is desired to produce a product with a predetermined and consistent gloss, independent of the gloss of the paper media or substrate, a clear toner with a gloss enhancer can be applied if the media has a matte finish, and not applied if a gloss finish. Likewise, matting agents may be selectively applied to achieve a predetermined matt finish. Multiple layers of clear toner may be applied to account for variations in the media, to permit, for example, additional layers of gloss enhancer or matting agents to increase their effect. Multiple layers may be applied using a system with multiple disposable clear−toner cartridges, or the transport system associated with cartridge may have a shuttle or recycling system, as illustrated below. In a system with multiple clear−toner cartridges, the control system may selectively apply two different clear−toner compositions based upon a product property. For example, clear toner with a matting agent from one cartridge, or clear toner with a gloss enhancer from a second cartridge may be selectively applied, based upon the measured gloss of the product. The gloss property can be based upon any property that is a qualitative measures the reflectance of any or all of the visible wavelengths, as long as such measures are a qualitative measure of the perceived gloss, shine, matt, dullness, or color tint of the surface. ）
　
（１ｃ）「［００２７］　この発明の１つの観点は、媒体上にカラー画像を形成する、
１つ以上のトナー被覆ユニットからなる印刷ステイション
その印刷ステイションの後段に
自由に使用可能な、クリアトナーカートリッジ
印刷システム
　カラートナー被覆ユニット、及び、クリアトナーカートリッジは、電子写真システムであっても、インクジェットシステムであってもよい。」
（［0027］ An aspect of the present invention is a printing system with a print station comprising one or more color toner application units for applying a color image on a media, and after the print station a clear toner disposable cartridge for applying clear toner on the media over the color toner image. The color toner application units and the clear toner cartridge may be electrophotographic or inkjet systems. The inkjet units may be piezoelectric or thermal systems. ）
　
（１ｄ）「［００４８］　ＦＩＧ．１ａを参照する。ＦＩＧ．１ａは、
画像形成システムに組み込まれた、この発明のクリアトナーカートリッジ
　
画像形成システム２９０は、印刷生成物又はシート２９１を作成する。印刷生成物又はシート
カラー画像を有する
　
印刷生成物２９１は、１対のローラ３２３を通して供給される。１対のローラ３２３は、画像形成システム２９０から供給されるシートを搬入するものである。
（［0048］ Reference is now made to FIG. 1 a , which is a generalized schematic of a clear toner cartridge of the invention incorporated into an imaging system. It should be noted that the present invention is not limited to a specific embodiment illustrated in this or other Figures, and other systems within the spirit of the invention are contemplated. The imaging system 290 produces a printed product or sheet 291 that is a media with a fixed or unfixed color image thereon. The imaging system may be electrophotographic, ink jet, or any other suitable system. Product 291 is fed through a pair of rollers 323 to convey the sheet fed from the imaging system 290 ．）
　
（１ｅ）「［００４９］　転写帯電器３２７は、
感光体ドラム８３から印刷シートへトナーを転写
クリアトナーを定着
自由に使用可能なクリアトナーカートリッジ２００は、クリアトナーを被覆するの使用される。
（［0049］ A transfer electrostatic charger 327 is used for transferring toner from the photosensitive drum 83 to the printing sheet. A pair of heat rollers 328 is used for fixing the clear toner transferred on the printing sheet. Disposable clear toner cartridge 200 of the invention is used to apply clear toner ）
　
（１ｆ）「［００５０］　自由に使用可能なクリアトナーカートリッジ２００は、感光体ドラム８３を均一に帯電する帯電器８４を、有する。このカートリッジは、感光体ドラム上の、あるいは、現像ローラ上の、非転写の消費トナーを消失させるためのクリーナ７６を任意的に有していてもよい。」
（［0050］ The clear toner disposable cartridge 200 has an electrostatic charger 84 for electrostatic charging the photosensitive drum 83 uniformly. The cartridge may also optionally comprise a cleaner 76 for eliminating the untransformed or waste toner on the photosensitive drum 83 as well as the developing roller. ）
　
（１ｇ）「［００５５］ＦＩＧ．３を参照すると、
ＦＩＧ．１ａの画像形成システムをカラートナーに適用した例
［００５８］　ＦＩＧ．４を参照する。ＦＩＧ．４は、ＦＩＧ．３のシステムと類似するシステムを図示する。ＦＩＧ．３のものと異なる点は、カラートナーの為の定着器がなく、現像器１０２で被覆されたカラートナーも、カートリッジ２００で被覆されたトナーも、定着ロール３２８で、同時に融着される点である。
　ＦＩＧ．４は、
カートリッジ２００を、取り外し可能で非固定に、その場所に、保持する為の器具２０１
（［0055］ Reference is now made to FIG. 3, which is a schematic of an imaging system as in FIG. 1a, showing an electrophotographic imaging system for applying color toners. 
・・・
［0058］ Reference is now made to FIG. 4 . This illustrates a system similar to the system of FIG. 3 , except the fuser rolls for the color toner have been deleted and both the color toners applied at developers 102 and the clear toner applied at cartridge 200 are fused at the same time at fuser rolls 328. FIG. 4 also shows structure 201 which is used to removably an nonfixedly hold the cartridge 200 in position. ）
　
（１ｈ）「［請求項１］
　印刷媒体に所定の光沢を生成する画像形成装置において、
　光導電体表面にカラートナー画像を被覆する、少なくとも１つの、現像ステーションと、
　カラートナー画像を媒体表面に転写する、器具と、
　
画像形成装置に、取り外し可能で、固定されずに、取り付けられた、
クリアトナーカートリッジ
　ここで、このカートリッジは、カートリッジ容器と、容器中に配置されたクリアトナーのホッパーと、ホッパー中にクリアトナーと、ホッパーと通じているトナー出口と、容器中の感光体ドラムと、感光体ドラムの電荷保持表面を帯電させ、そして、電荷保持表面に隣接して配置される、コロナ帯電器と、から構成されるものであり、
　ここで、この感光体ドラムは、出口からのクリアトナーを受け取るように配置される電荷保持表面を有し、表面が帯電されたとき、電荷保持表面上に層を形成するものであり、
　このトナーカートリッジの電荷保持表面上のクリアトナーを媒体表面に転写し、媒体表面のカラートナー画像を覆うようにする、器具と、
　カラートナー画像及びクリアトナーを媒体に定着する、少なくとも１つの、定着器と、
　媒体に融着して、表面に所定の光沢を与える、光沢性を有するクリアトナーと、
から構成される、画像形成装置。」
（ What is claimed is:
1 . An imaging apparatus for producing a predetermined gloss on a printed media comprising；
 at least one developer station for applying a color toner image to a photoconductive surface, 
 structure for transferring the color toner image to a media surface, 
 at least one clear toner cartridge removably and nonfixedly attached to the imaging apparatus, the cartridge comprising； a cartridge housing, clear toner hopper disposed in the housing, clear toner in the hopper, toner outlet communicating with the hopper, photoconductive drum in the housing with a charge retentive surface disposed to receive clear toner from the outlet to form a layer on the charge retentive surface when the surface is charged, corona assembly disposed adjacent to the charge retentive surface for charging the charge retentive surface of the photoconductive drum, 
 structure for transferring clear toner on the charge retentive surface of the toner cartridge to the media surface and over the color toner image on the media surface, 
 at least one fuser for fusing the color toner image and the clear toner to the media, 
 the clear toner having gloss properties that impart upon fusing to the media a surface with a predetermined gloss. ）
　
（１ｉ）「ＦＩＧ．１ａ」
　ＦＩＧ．１ａには、クリアトナーカートリッジは、印刷シート２９１にクリアトナー被覆した後に、その
印刷シート２９１を排出する
　
　これら記載によれば、引用例１には、次の発明（以下、「引用例発明」という。）が記載されているものと認められる。
　
「画像形成システム２９０と、
　画像形成システム２９０の後段に組み込まれたクリアトナーカートリッジ２００と、
　から構成される印刷システムであって、
　画像形成システム２９０は、その表面上にカラー画像を有する印刷シート２９１を作成するものであり、
　画像形成システム２９０から供給される印刷シート２９１は、１対のローラ３２３により、クリアトナーカートリッジ２００に搬入され、
　クリアトナーカートリッジ２００は、印刷シート２９１上に、感光体ドラム８３からクリアトナーを転写し、これを定着し、その後にクリアトナー被覆した印刷シート２９１を排出するものである、
　印刷システム。」
　
（２）引用例２
　原査定における拒絶の理由に引用文献２として引用された、特開２００２−３１８４８２号公報（以下、「引用例２」という。）には、図面とともに、以下の事項が記載されている。
　
（２ａ）「【００４６】本実施形態における転写材を反転して転写材循環搬送経路４０に給紙する反転搬送機構は、
図１に示すように
記録紙Ｐの表面側のカラートナー像の形成
【００４７】定着を終えて表面にカラートナー像を有する記録紙Ｐは、搬送切り替えレバー４１が切り替えられて、搬送ローラ１８に搬送されることなく、また転写材循環搬送経路４０に搬送されることのないように搬送切り替えレバー４３が切り替えられて、反転搬送路５０を通して反転路搬送ローラ５２へと搬送される。反転路搬送ローラ５２は正逆の回転方向が切り替えられる構成となっていて、反転路搬送ローラ５２によって反転搬送路５０を搬送された記録紙Ｐは、搬送される記録紙Ｐの後端がセンサ５３によって検知されると、反転搬送切り替えレバー５１は搬送路の切り替えを行い、反転路搬送ローラ５２は逆転に転じて記録紙Ｐは反転して、反転搬送路５０から転写材循環搬送経路４０へと給紙され、転写材循環搬送経路４０の循環路搬送ローラ４２を通して再びタイミングローラ１６へと搬送される。
【００４８】再度Ｋ、Ｃ、Ｍ及びＹのプロセスユニット１００からなるカラートナー像を形成する手段により、各色の裏面側のトナー像の形成が行われ、トナー像形成と同期してタイミングローラ１６から搬送される記録紙Ｐの裏面側に各色のトナー像が順次重ね合わせて転写されて記録紙Ｐの裏面上にカラートナー像の形成がなされた後、定着されて
記録紙Ｐの裏面側のカラートナー像の形成
　
（２ｂ）「【００４９】上記の如き画像形成プロセスにより、
図６に示すように、記録紙Ｐ上において、表裏のカラートナー像が形成される。
両面画像形成時の表裏のカラートナー像に色にじみを生じることなく、透明トナー像が重ね合わせて形成される。
　
（３）引用例３
　原査定における拒絶の理由に引用文献３として引用された、特開２００５−５５５１７号公報（以下、「引用例３」という。）には、図面とともに、以下の事項が記載されている。
　
（３ａ）「【００２３】
（実施例２）
実施例１においては１面目画像形成時には透明トナーによる画像形成を行なわないとしたが、本実施例においては１面目の有色トナー上にも透明トナーで画像形成を行なった。
図６
ここで１面目については通常通り４色の有色トナーで画像形成が行われたあと、その有色トナー上をステーションＰｅの透明トナーで画像形成する（２０２）。
ステーションＰｅにおいて透明トナーを用いて画像形成が行なわれていない箇所に有色トナーで画像形成を行なう（２０５）。
図７
　
（４）引用例４
　原査定における拒絶の理由に引用文献４として引用された、特開平１０−１３３５１５号公報（以下、「引用例４」という。）には、図面とともに、以下の事項が記載されている。
　
（４ａ）「【請求項６】シート体の片面に有色トナーを転写させて画像を形成する電子写真部と、この電子写真部から排出されるシート体を少なくとも加熱して有色トナーを定着処理する定着器と、この定着器から排出されるシート体を表裏反転させて前記電子写真部に誘導する反転循環機構とを有し、シート体の両面に画像を形成できる画像形成装置において、両面に画像が形成される
シート体の第一面の定着前の有色トナー上に透明トナーを薄く転写するとともに第二面の定着前の有色トナー上に透明トナーを厚く転写する光沢処理手段
　
（４ｂ）「【００５４】請求項６記載の発明の画像形成装置は、両面に画像が形成されるシート体の第一面の定着前の有色トナー上に透明トナーを薄く転写するとともに第二面の定着前の有色トナー上に透明トナーを厚く転写する光沢処理手段を設けたことにより、シート体の両面に画像を形成する場合、定着処理の回数が相違する第一面と第二面との有色トナーの光沢度を、そこに積層する透明トナーの層厚の格差により略同一にすることができるので、シート体の両面に光沢度が略同一の画像を形成することができる。」
　
（５）引用例５
　原査定における拒絶の理由に引用文献５として引用された、特開２００２−１５６７７９号公報（以下、「引用例５」という。）には、図面とともに、以下の事項が記載されている。
　
（５ａ）「【００４０】ここで、
図１に示すフルカラー画像形成装置においては
透明なトナーを記録媒体１に供給する第５の画像形成用ユニット１０Ｓ
　
（５ｂ）「【００４５】なお、図１に示すフルカラー画像形成装置においては、送りローラ２によって送られる記録媒体１の片面側に第１〜第５の各画像形成用ユニット１０Ｂｋ，１０Ｃ，１０Ｍ，１０Ｙ，１０Ｓを設けるようにしただけであるが、
図２に示すように、送りローラ２によって送られる記録媒体１の両面側にそれぞれ第１〜第５の各画像形成用ユニット１０Ｂｋ，１０Ｃ，１０Ｍ，１０Ｙ，１０Ｓを設け
フルカラーのトナー像を記録媒体１の両面に定着させる
　
（６）引用例６
　原査定における拒絶の理由に引用文献６として引用された、特開平７−７２６９６号公報（以下、「引用例６」という。）には、図面とともに、以下の事項が記載されている。
　
（６ａ）「【００５５】無色トナーを配置する画像生成部は一連の前記画像生成部の第１および／または最後とするのが望ましい。本発明による印刷装置の構造は、該印刷装置がマゼンタ、シアン、イエロー、黒の画像生成部に続けて、
保護用の透明な光沢制御してある無色の熱定着性トナーによる被覆を行なう最後の画像生成部に無色トナー画像生成部を含む多色印刷装置
【００５６】実施例において無色トナーは有色トナー画像の画像枠全体にわたって均一に付着させる。機械的強度の高い樹脂を無色トナー成分に用いることにより、特に高い耐摩耗性を有色画像およびトナー画像を定着する支持体たとえば紙に与えることが出来る。」
　
（６ｂ）「【００８１】
図３では、
両面印刷装置が図示
【００８２】
無色トナー画像印刷部Ｅ
　
（６ｃ）「【００８３】
図４では
両面印刷装置をさらに小型化した装置
　
２−３．対比
　引用例発明の「画像形成システム２９０」は、「カラー画像を有する印刷シート２９１」を作成するものであるから、本願補正発明の「複数の有色トナー画像を形成する有色画像形成装置」に相当する。
　引用例発明の「クリアトナーカートリッジ２００」は、「印刷シート２９１」上に「クリアトナー」を「被覆」するものであるから、本願補正発明の「定着後に透明になるクリアトナーを用いてクリアコート画像を形成するクリアコート画像形成装置」とは、「定着後に透明になるクリアトナーを用いてクリアコート画像を形成するクリアコート画像形成部」である点で共通する。
　引用例発明の「画像形成システム２９０」と、その後段の「クリアトナーカートリッジ２００」とから構成される「印刷システム」は、本願補正発明の「有色画像形成装置」とその後段の「クリアコート画像形成装置」とから構成される「画像形成システム」に相当する。
　引用例発明の「画像形成システム２９０は、その表面上にカラー画像を有する印刷シート２９１を作成するものであり」、「クリアトナーカートリッジ２００は、印刷シート２９１上に、感光体ドラム８３からクリアトナーを転写し、これを定着」することは、本願補正発明の「有色画像形成装置、前記クリアコート画像形成装置の双方が、用紙の表面に画像形成する画像形成機能を有」することに相当する。
　引用例発明の「画像形成システム２９０」が、シート（用紙）に印刷した後に印刷シート２９１を供給するものである点は、本願補正発明の「有色画像形成装置」が、「用紙を前記クリアコート画像形成装置に受け渡し」するものである点で、両者は一致する。
　引用例発明の「クリアトナーカートリッジ２００」が、「クリアトナー被覆した印刷シート２９１」を排出するものである点は、本願補正発明の「クリアコート画像形成装置」が、「用紙」を排出するものである点で、両者は一致する。
　
　そうすると、両者は
「　複数の有色トナー画像を形成する有色画像形成装置と、前記有色画像形成装置の後段の、定着後に透明になるクリアトナーを用いてクリアコート画像を形成するクリアコート画像形成部とから構成される画像形成システムにおいて、
　前記有色画像形成装置、前記クリアコート画像形成装置の双方が、用紙の表面に画像形成する画像形成機能を有し、
　前記有色画像形成装置は、用紙の表面に画像形成した後、用紙を前記クリアコート画像形成装置に受け渡し、
　前記クリアコート画像形成装置は、前記有色画像形成装置から受け渡された用紙の表面にクリアトナーを用いて画像形成した後、当該用紙を排出する画像形成システム。」
で一致し、以下の点で相違する。
　
［相違点１］
　本願補正発明では、「クリアコート画像形成装置」が「有色画像形成装置」の後段に「着脱自在に」接続されるものであるのに対し、
　引用例発明においては、「クリアトナーカートリッジ２００」が「画像形成システム２９０」の後段に接続される（組み込まれる）ものであって、「自由に使用可能な」とされているものであるものの、「着脱自在に」接続されるものとは明記されていない点。
　
［相違点２］
　本願補正発明では、「有色画像形成装置」、「クリアコート画像形成装置」の双方が、「用紙の両面に画像形成」するものであるのに対し、
　引用例発明では、「画像形成システム２９０」、「クリアトナーカートリッジ２００」の双方が、シートの片面に画像形成するものであるにすぎない点。
　
２−４．判断
（１）相違点１について
　引用例発明の「クリアトナーカートリッジ２００」は、「自由に使用可能な」もの、すなわち「メインの画像形成システムと分離して設計可能であり」、「独立型の装置にも、種々の画像形成システムにより給紙されるように設計された装置にも」「追加的に組み込ん」で「適用できる」もので、「画像形成（複写及び印刷）システムの全ラインの中で交換可能に使用できるように設計することができる」ものである（上記１ａ参照）。
　したがって、引用例発明の「クリアトナーカートリッジ２００」を、画像形成システム２９０（画像形成装置）に「着脱自在に」することは、設計的事項である。
　
（２）相違点２について
　引用例２〜引用例６に示されるように、有色画像とクリアコート画像とを、用紙の両面に形成することは、この技術分野において周知である（前記（２ａ）（２ｂ）（３ａ）（４ａ）（４ｂ）（５ａ）（５ｂ）（６ａ）（６ｂ）（６ｃ）参照。）。
　
　したがって、引用例発明において、上記従来周知の技術事項を適用して、「画像形成システム２９０」、「クリアトナーカートリッジ２００」の双方が、シートの片面に画像形成するものであるものを、双方が両面画像形成機能を有するものに変更することに、格別の困難性はない。
　
（３）作用効果
　本願補正発明によってもたらされる効果は、引用例発明および上記従来周知の技術事項から当業者であれば予測し得る程度のことであって、格別のものではない。
　
（４）請求人の主張について
　請求人は、平成２２年３月４日付回答書で次のように主張している。
「　審査官殿は、引用文献１の『ＦＩＧ．３及び段落［００２３］には、クリアコート画像形成装置を、有色画像形成装置の後段に着脱自在に接続することが示唆されている』と認定されていますが、これには全く承服できません。
　本願発明は、図１に示すように、有色画像形成装置１００とクリアコート画像形成装置２００とが全く別の装置として独立した構成を前提としています。
　しかしながら、引用文献１に記載されているのは、ＦＩＧ．３に示す通り、有色トナーで現像する現像器（imaging system290）と無色のクリアトナーで現像する現像器（clear toner cartridge200）とが一体となった１つの画像形成装置であり、これらが着脱自在に構成されているようには見えません。すなわち、引用文献１に記載された発明は、そもそも画像形成装置が１つしかないので、この画像形成装置の後段には何の画像形成装置も接続されません。この点につきましては、引用文献２乃至８についても同様です。」
　しかしながら、引用例発明（引用例１、ＦＩＧ．１）は、前述したように、「クリアトナーカートリッジ」が「自由に使用可能な」ものであり、「画像形成システム２９０」の後段に着脱自在に取り付けられるものである（前記「２−４．（１）」参照。）。
　そして、前置審査において審査官が指摘したように、段落［００２３］（前記（１ａ）参照。）にも、クリアコート画像形成装置を、有色画像形成装置の後段に着脱自在に接続することが示唆されている、といえる。
　したがって、請求人の上記の主張は、採用できない。
　
（５）まとめ
　以上のとおりであるから、本願補正発明は、引用例発明および従来周知の技術に基づいて当業者が容易に発明をすることができたものであるから、本願補正発明は、特許法第２９条第２項の規定により特許出願の際独立して特許を受けることができないものである。
　
２−５．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
３−１．本願の請求項１に係る発明
　平成２１年９月１１日付の手続補正は上記のとおり却下されたので、本願の請求項１〜８に係る発明は、平成２１年５月１３日付の手続補正書により補正された特許請求の範囲の請求項１〜８に記載されたとおりのものであると認められるところ、請求項１に係る発明（以下、「本願発明」という。）は、前記「２−１．（１）」のとおりである。
　
３−２．引用例の記載事項
　引用例１〜６には、前記「２−２．」に記載したとおりの事項が記載されている。
　
３−３．対比
　本願発明は、本願補正発明（上記「２−１．（２）」参照。）の「クリアコート画像形成装置」が「有色画像形成装置の後段に着脱自在に接続される」ことについて、「着脱自在に」という限定事項を省いて、「有色画像形成装置の後段に接続され」という構成に戻したものに相当する。
　本願発明と前記引用例発明を対比すると、両者は、上記「２−３．」で示した前記相違点２でのみ相違するものである。
　
３−４．判断
　この相違点について検討すると、前記「２−４．（２）」で検討したとおりであるから、本願発明は引用例発明および上記の従来周知の技術事項に基づいて当業者が容易に発明をすることができたものである。
　
４．むすび
　よって、本願の請求項１に係る発明は、特許法第２９条第２項の規定により特許を受けることができないものであるから、他の請求項について検討するまでもなく、本願は拒絶すべきものである。
　
　よって、結論のとおり審決する。